(57)【特許請求の範囲】
【請求項１】
建物本体の軒先に取り付けられ、軒樋を後付け可能な軒先ユニットであって、
前記建物本体の屋外側に位置される軒天部材と、
該軒天部材の前記建物本体の屋外方向側の端部を覆うように立設される鼻隠し部材と、
該鼻隠し部材の外面から前記建物本体の屋外方向へ突設されると共に前記軒樋の上方に配置され、転落防止部材を上方から着脱可能なように、前記転落防止部材を下方から支持する支持部材と、
前記鼻隠し部材の外面から前記建物本体の屋外方向へ突設され、前記建物本体の桁行方向に沿って配置される前記軒樋を支持可能な樋受け部材と、
前記鼻隠し部材の前記建物本体側の内面に設けられ、前記軒先ユニットを建物躯体に固定すると共に前記鼻隠し部材を介して前記支持部材に締結される軒先ユニット取付部材と、を備え、
前記鼻隠し部材のうち、前記樋受け部材が設けられた位置よりも上方に位置する部分には、前記建物本体の屋外側から屋内方向へ貫通した複数の通気孔が形成されており、
該通気孔は、それぞれ、前記樋受け部材が設けられた位置よりも上方に位置する部分の一部を切り起こして形成されており、
前記通気孔を形成するために切り起こされた前記一部は、前記通気孔の開口部を覆う位置でリブをなしていることを特徴とする軒先ユニット。
【請求項２】
前記通気孔の上方側及び前記建物本体の屋外側は、水切材によって覆われてなることを特徴とする請求項１に記載の軒先ユニット。
【請求項３】
前記軒先ユニットは、前記建物本体の桁行方向に沿って複数個連続して配置されてなることを特徴とする請求項１又は２に記載の軒先ユニット。
【発明の詳細な説明】
【技術分野】
【０００１】
本発明は、住宅等の各種建物に取り付けられる軒先ユニットに係り、特に、建物の周囲に外部足場を設置しなくとも、軒先作業を安全に行うことが可能であると共に、小屋裏換気が可能な軒先ユニットに関する。
【背景技術】
【０００２】
従来から、現場での施工作業を簡略化するために、軒天部材や鼻隠し部材などの軒先部品を予め一体化した軒先ユニットを、建物躯体に対して取り付ける技術が知られている（特許文献１参照）。
【０００３】
一般に、軒先ユニットが取り付けられる建物においても、軒先作業時における安全性を確保するために、建物の屋根部周囲には、地面等から外部足場が設置される。しかしながら、例えば、狭小地に建物を建設する場合には、このような外部足場を設置することが困難な場合がある。
【０００４】
そこで、建物躯体に取り付けられる軒先足場取付具を有する腕部と、該腕部上に配置される軒先部品とを備えた軒先ユニットが提案されている。この軒先ユニットによれば、建物の周囲に外部足場を設置しなくとも、軒先ユニットに設けられた軒先足場取付具に転落防止部材を取り付けることができる（特許文献２参照）。
【０００５】
一方、従来から住宅棟の建物の小屋裏換気を行うため、軒先の下方、すなわち軒天部に通気孔が設けられている。このような通気孔は主に軒天板や見切り材に設けられ、小屋裏に連通する多数の通気孔が設けられることが多い。しかし、軒天板や見切り材に通気孔を設けた場合、通気孔の開口部が軒下から視認されるため外観上好ましくないという問題があった。
【０００６】
これに対し、軒天井から略垂直に立ち上がる鼻隠において通気穴が設けられた技術が提案されている（特許文献３）。このように、通気穴が軒天井と一体に形成された鼻隠の上部に設けられることにより、軒下から通気穴が見えることが無く、良好な外観とすることができる。
【先行技術文献】
【特許文献】
【０００７】
【特許文献１】特許第３７９８５８７号公報
【特許文献２】特開平１０−０４６８０３号公報
【特許文献３】特許第３０７８７０２号公報
【発明の概要】
【発明が解決しようとする課題】
【０００８】
特許文献２に記載の転落防止部材は、軒先ユニットを建物に対して取り付けた後、建物の屋外側から軒先足場取付具に取り付ける構成となっている。したがって、軒先足場取付具に対する転落防止部材の取付作業が完了するまでは、建物の屋根部周囲に転落防止部材が設置されない状態となり、軒先作業時における安全性が十分に確保されていないという問題があった。
【０００９】
また、特許文献２に記載の軒先ユニットでは、上記軒先部品が上方腕部及び下方腕部により下方から支持されている上、軒先足場取付部が軒先部品の建物の屋外方向の端部よりも突設しているため、軒先ユニットを下方から見たときに、上記上方腕部、下方腕部及び軒先足場取付部が露出する。このため、見栄えが悪く、建物の外観上の美観が著しく損なわれるという問題があった。
【００１０】
一方、小屋裏換気に関する構成に関し、特許文献３に開示された技術では、軒天井と一体に形成された鼻隠に通気穴が設けられている。しかし、鼻隠と軒天井とが一体に形成されることにより施工性は向上するものの、鼻隠と軒天井とが連続した板材によって形成されることから、鼻隠と軒天井とを別途形成する場合と比較して大面積の板材を用いる必要があり、脆性もまた高くなる。そして、このように大面積の板材からなる鼻隠に開口した通気穴を形成した場合、強度が著しく損なわれるという問題があった。
【００１１】
したがって特許文献３に開示された鼻隠・軒天部材に、鼻隠の部分に雨樋等の比較的軽量な部材を取り付けることは可能であるが、それ以上の重量物や、荷重のかかる部材を取り付けることができない。
【００１２】
本発明は、上記不都合を解決するためになされたものであり、その目的は、建物の周囲に外部足場を設置しなくとも、軒先作業をより安全に行うことができ、且つ、建物の外観上の美観を損なうことのない軒先ユニットを提供することにある。また、本発明の他の目的は、建物の周囲に外部足場を設置しなくとも、軒先作業をより安全に行うことができると共に、十分な小屋裏換気が可能な軒先ユニットを提供することにある。
【課題を解決するための手段】
【００１３】
前記課題は、本発明の軒先ユニットによれば、建物本体の軒先に取り付けられ、軒樋を後付け可能な軒先ユニットであって、前記建物本体の屋外側に位置される軒天部材と、該軒天部材の前記建物本体の屋外方向側の端部を覆うように立設される鼻隠し部材と、該鼻隠し部材の外面から前記建物本体の屋外方向へ突設されると共に前記軒樋の上方に配置され、転落防止部材を上方から着脱可能なように、前記転落防止部材を下方から支持する支持部材と、前記鼻隠し部材の外面から前記建物本体の屋外方向へ突設され、前記建物本体の桁行方向に沿って配置される前記軒樋を支持可能な樋受け部材と、前記鼻隠し部材の前記建物本体側の内面に設けられ、前記軒先ユニットを建物躯体に固定すると共に前記鼻隠し部材を介して前記支持部材に締結される軒先ユニット取付部材と、を備え、前記鼻隠し部材のうち、前記樋受け部材が設けられた位置よりも上方に位置する部分には、前記建物本体の屋外側から屋内方向へ貫通した複数の通気孔が形成されており、該通気孔は、それぞれ、前記樋受け部材が設けられた位置よりも上方に位置する部分の一部を切り起こして形成されており、前記通気孔を形成するために切り起こされた前記一部は、前記通気孔の開口部を覆う位置でリブをなしていること、により解決される。
【００１４】
以上のように、上記構成では、転落防止部材が、軒先ユニットに設けられる支持部材に対して着脱可能である。この構成により、例えば、予め転落防止部材を軒先ユニットに設置し、その後転落防止部材を備えた軒先ユニットを建物に取り付けることが可能となる。したがって、建物の周囲に外部足場を設置しなくとも、上記のような軒先ユニットを建物に設置するだけで転落防止部材を備えることができ、その結果、軒先作業の安全性を確保することができる。
また、上記構成では、鼻隠し部材の外面から建物本体の屋外方向へ突設する支持部材が軒樋の上方に配置される。すなわち、軒先ユニットを下方から見たときに、支持部材は軒樋の後方に配置されるため、支持部材を下方から視認することは困難である。従って、屋根上での作業が完了して転落防止部材を取り外した後、例えば、建物の新築工事が竣工した後においても、軒先ユニットに存置された支持部材によって、建物の外観上の美観が損なわれることがない。
さらに、建物の新築工事が完了した後であっても、建物の美観を損なうことなく軒先ユニットに存置される支持部材に、転落防止部材を取り付けることが可能なため、屋根の改修工事等をその後に行う場合においても、軒先作業における作業の安全性を確保することができる。
このように、本発明によれば、建物の周囲に外部足場を設置することが困難な場合、例えば、狭小地であっても、建物の外観上の美観を損なうことなく、建物本体の周囲に転落防止部材を配設することができる。
そして、上記構成では、鼻隠し部材において、建物本体の屋外側から屋内側へ貫通した通気孔が設けられている。したがって、軒下から通気孔が視認されることなく、別途設置される軒天部材は軒下から見た際に均一な面となることから、外観上の美観が損なわれることがない。さらに、このような通気孔を鼻隠し部材に設けても、鼻隠し部材に対して転落防止部材を支持する支持部材を接合することができる程度の強度を備えている。
つまり、鼻隠し部材に対して支持部材を接合する位置の裏面に、建物本体と接合される軒先ユニット取付部材を配設し、鼻隠し部材を介して軒先ユニット取付部材と支持部材を締結することにより、鼻隠し部材は十分な強度を保持している。
さらに、上記構成では、軒先部品である軒天部材、鼻隠し部材、軒先ユニット取付部材、支持部材、及び樋受け部材を予めユニットとして一体化する構成であるため、軒先工事の作業工程を大幅に削減することができると共に、作業効率を格段に向上させることができる。また、軒先ユニットを工場等で製作することが可能であるため、品質の均一化を図ることができる。
さらにまた、鼻隠し部材を切り起こし、通気孔の開口部を覆う位置にリブを形成することにより、単に開口を設けた場合と比して、通気孔及び鼻隠し部材の強度を確保することができる。また、リブによって雨水や雪等が通気孔に侵入するのを防止することができるため、軒先ユニット内に大量の水等が蓄積することがない。
【００１６】
さらに、前記通気孔の上方側及び前記建物本体の屋外側は、水切材によって覆われてなると好ましい。このように、通気孔の上方及び建物本体の屋外側を水切材によって覆うことにより、雨水や雪の侵入をさらに防止することができる。
【００１７】
さらにまた、前記軒先ユニットは、前記建物本体の桁行方向に沿って複数個連続して配置されてなると好適である。このように構成することにより、通気孔を軒先の全周に渡って設置することができるため、十分な換気量を確保することができる。また、軒先ユニット自体をコンパクト化することが可能なため、軒先ユニットの建物本体に対する取付作業、運搬作業、及び工場等での製作作業の容易化を図ることができる。
【発明の効果】
【００１８】
本発明に係る軒先ユニットによれば、建物の周囲に外部足場を設置しなくとも、建物の外観上の美観を損なうことなく軒先作業時における作業者の転落や転倒を確実に防止するができる。そして、建物の周囲に外部足場を設置しなくとも、十分な強度を備えた軒先ユニットに転落防止部材を備えることによって軒先作業を安全に行うことができ、さらに美観を損なうことなく十分な小屋裏換気が可能な軒先ユニットを提供することができる。
【図面の簡単な説明】
【００１９】
【図１】本発明の一実施形態に係る軒先ユニットが建物本体に取り付けられた状態を示す斜視図である。
【図２】建物本体に対する軒先ユニットの取付状態を示す断面図である。
【図３】本発明の一実施形態に係る軒先ユニット調整装置の斜視図である。
【図４】本発明の一実施形態に係る軒先ユニット調整装置の平面図である。
【図５】図３のＡ−Ａ線に相当する断面図である。
【図６】本発明の一実施形態に係る軒先ユニットの要部拡大図である。
【図７】本発明の一実施形態に係る軒先ユニットを説明する説明図である。
【図８】本発明の一実施形態に係る軒先ユニットを説明する説明図である。
【図９】鼻隠し部材に上側連結部材を装着した状態を示す側面図である。
【図１０】図９に下側連結部材をさらに装着した状態を示す側面図である。
【図１１】図９に下側連結部材を装着する過程を示す側面図である。
【図１２】本発明の一実施形態に係る軒先ユニットを用いた建物の施工方法を示すフローチャート図である。
【図１３】本発明の他の実施形態に係る軒先ユニットを示す斜視図である。
【図１４】本発明の他の実施形態に係る軒先ユニットが建物本体に取り付けられた状態を示す斜視図である。
【図１５】隣接する転落防止部材を連結する連結部材の斜視図である。
【発明を実施するための形態】
【００２０】
以下、本発明に係る一実施形態について、図１乃至図１２を参照して説明する。なお、以下に説明する部材、配置等は、本発明を限定するものではなく、本発明の趣旨に沿って各種改変することができることは勿論である。
【００２１】
図は、本発明の実施形態を示すものであり、図１乃至図１２は、本発明の一実施形態に係る軒先ユニットに係り、図１は軒先ユニットが建物本体に取り付けられた状態を示す斜視図、図２は建物本体に対する軒先ユニットの取付状態を示す断面図、図３は軒先ユニット調整装置の斜視図、図４は軒先ユニット調整装置の平面図、図５は図３のＡ−Ａ線に相当する断面図、図６は軒先ユニットの要部拡大図、図７、図８は軒先ユニットを説明する説明図、図９は鼻隠し部材に上側連結部材を装着した状態を示す側面図、図１０は図９に下側連結部材をさらに装着した状態を示す側面図、図１１は図９に下側連結部材を装着する過程を示す側面図、図１２は軒先ユニットを用いた建物の施工方法を示すフローチャート図である。
また、図１３乃至図１５は本発明の他の実施形態に係り、図１３は軒先ユニットを示す斜視図、図１４は軒先ユニットが建物本体に取り付けられた状態を示す斜視図、図１５は隣接する転落防止部材を連結する連結部材の斜視図である。
【００２２】
図１及び図２に示すように、本実施形態に係る建物本体１は、外壁パネル２の上方に設けられる軒桁３と、軒桁３上に配置される屋根パネル４と、を備えている。軒桁３は、小屋梁５を桁行方向に連結する横架材であり、例えば、断面略Ｈ形状の鉄製の部材により形成されている。この軒桁３は、建物本体１の主要構造物の一つを構成するものであり、特許請求の範囲に記載の「建物躯体」に相当する。
【００２３】
屋根パネル４は、垂木４ａと、野地材４ｂと、屋根葺き材４ｃと、を備えている。そして軒桁３上には、垂木４ａ、野地材４ｂ、屋根葺き材４ｃが順にビスやボルト等によって固定されている。また、屋根パネル４の先端部４ｄは、後述する鼻隠し部材２２の上面部２２ｂにビス等により固定されている。このように、本実施形態では、屋根パネル４及び鼻隠し部材２２を連結することにより、これらの建物本体１に対する取付強度をより強固なものとしている。
【００２４】
次に、腕木部材１０に取り付けられる軒先ユニット２０について図２、図５乃至図８を参照して説明する。
図２、図５乃至図８に示すように、軒先ユニット２０は、軒天部材２１と、鼻隠し部材２２と、軒先ユニット取付部材２３と、支持部材２４と、樋受け部材２５とを備え、これらは工場等において予め一体的に製作される。この軒先ユニット２０は建物本体１の桁行方向に沿って２以上に分割されて複数設けられている。また、軒先ユニット２０は、軒天ランナー２６をさらに備えると共に、軒天ランナー２６の下方に、建物本体１の外壁パネル２と軒先ユニット２０の軒天ランナー２６との間の気密を保つシール部材２６ａを備えていても良い。
【００２５】
鼻隠し部材２２は、軒天部材２１の建物本体１側の端部を覆う位置に配置され、ＳＵＳや鉄板等の鉄製の部材により形成されている。
この鼻隠し部材２２は、略板状に形成された前面部２２ａと、前面部２２ａの上端部から建物本体１側斜め上方へ曲折して延びる上面部２２ｂと、上面部２２ｂの建物本体１側の端部から下方へ曲折して延びる上側突設部２２ｃと、前面部２２ａの下端部から建物本体１側へ曲折して延びる下面部２２ｄと、下面部２２ｄの建物本体１側の端部から上方へ曲折して延びる下側突設部２２ｅと、下側突設部２２ｅの上端部から建物本体１側の端部から建物本体１側へ曲折して延びる突出部２２ｆとを有し、これらは一体的に形成されている。
【００２６】
（通気孔２８）
図６乃至図８に示すように、鼻隠し部材２２の前面部２２ａには、建物本体１の屋外方向から屋内方向に貫通する複数の通気孔２８が桁行方向に隣り合って設けられている。通気孔２８は、主として小屋裏換気を行うために設けられ、前面部２２ａの上方であって、水切材２７によって覆われる位置に形成されている（図２参照）。通気孔２８は、前面部２２ａを切り起こして開口部を覆うように形成されたリブ２８ａを備えているため、鼻隠し部材２２の強度を確保すると共に、十分な数の通気孔２８を備えることができ、換気のために必要な通気量を確保することができる（図８参照）。
【００２７】
また、通気孔２８にはリブ２８ａが備えられているため、リブ２８ａの側方から通気され、建物本体１の屋外側からは雨水や雪が入りにくいという効果も奏する。なお、本実施形態においては通気孔２８にリブ２８ａを備えた例を示しているが、水切材２７によって水等の侵入を十分に防ぐと共に鼻隠し部材２２の十分な強度を確保することができれば、通気孔２８の形状は、リブ２８ａを備えない切り抜き形状、すなわち開口した形状としても良い。
【００２８】
従来のように軒天部分、軒裏見切り部分等に通気孔を設けるのではなく、鼻隠し部材２２の前面部２２ａに通気孔２８を形成することにより、下方から通気孔が視認されることが無いため、意匠上も好適である。また、軒裏見切り部分に通気孔を設けた場合、雨水の侵入防止のため、別途部材を設置する必要があり、さらに、軒裏見切り材の形状が複雑になるため経費が嵩むが、本発明のように、鼻隠し部材２２に通気孔２８を形成することにより、複雑な構成とすることなく、経費を抑えることができる。さらにまた、軒先ユニット２０の鼻隠し部材２２に通気孔２８を備えた構成とすると、軒先の全周にわたって換気を確保することが可能となるため、十分な換気量を確保することができる。
【００２９】
そして、鼻隠し部材２２の前面部２２ａの建物本体１側の面には、図６のように、防火ダンパー２９が取り付けられている構成としても良い。防火ダンパー２９は、通気孔２８と対応する位置に設けられており、鼻隠し部材２２の前面部２２ａ上、建物本体１の屋内側にボルト−ナット等の接合手段により係止される。
【００３０】
（軒天部材２１）
鼻隠し部材２２と対向した位置に設けられる軒天ランナー２６は、断面略Ｌ字状に形成されており、ＳＵＳや鉄板等の金属製の部材又は合成樹脂等の部材により形成されている。そして、建物本体１の桁行方向に延設される軒天ランナー２６は、建物本体１の外壁パネル２及び軒天部材２１に対し、当接して配設される。
【００３１】
そして軒天部材２１の軒天板２１ａは、後述する鼻隠し部材２２及び軒天ランナー２６に対し、下方から固定される構成となっている。
略板状合板等によって形成された軒天板２１ａは、建物本体１の屋内側及び屋外側の端部に、上方に突設された段差部２１ｃをそれぞれ備えており、段差部２１ｃは桁行方向に沿って延設されている。そして、段差部２１ｃの略水平面は、鼻隠し部材２２の突出部２２ｆの下方面及び軒天ランナー２６の下方面に当接して配設され、ビス等の接合手段によって接合される（図６参照）。
【００３２】
また、軒天板２１ａは、軒天板２１ａの桁行方向の端部の側面に凹凸部が設けられている。そして、一つの軒先ユニット２０内に複数の軒天板２１ａを隣接して配設する際や、複数の軒先ユニット２０を桁行方向に連続して並べて配設する際、隣接する軒天板２１ａ同士の接続部分、すなわち凹凸部を設けて互いに噛み合わせ、実継ぎ手としているため、雨水や火炎の侵入を防止できると共に、継ぎ手部分の強度が向上する。また、軒天板２１ａは、隣接される軒先ユニット２０の軒天板２１ａと接する部分において、板厚を半分ずつ切り取って相互に張り合わせる構成、すなわち合決り継ぎとしてもよい。
【００３３】
このように、本発明の軒先ユニット２０において、軒天板２１ａの桁行方向の端部、すなわち軒天板２１ａの側面には、切り欠き（凹凸部）が設けられ、互いに隣接する軒天板２１ａ同士が重なる部分を備えた構成となっている。そして、隣接する軒天板２１ａの端部同士において完全に接合した状態とせずに、一部が噛み合って当接する状態とすることにより、桁行方向に隙間（遊び）を持たせて配設することができる。その結果、軒先ユニット２０の設置時、桁行方向の位置精度を問題とすることなく、調整を容易に行うことができる。
【００３４】
また、軒天板２１ａは、岩綿等の保温板２１ｂを下方から覆うように、軒天ランナー２６及び鼻隠し部材２２の下方に配設される。保温板２１ｂは、軒天ランナー２６及び鼻隠し部材２２の突出部２２ｆに支持されているため、軒天板２１ａを取り外しても落下しない。したがって、軒先ユニット２０が建物本体１に設置された後であっても、軒天板２１ａの着脱を容易に行うことができる。
【００３５】
さらに、軒天板２１ａが鼻隠し部材２２及び軒天ランナー２６の上方に嵌着された構成の軒先ユニット２０では、破損等により軒天板２１ａを交換したい場合、軒先ユニット２０ごと全て交換する必要があった。しかし、軒天板２１ａを下方から固着する構成とすると、軒天板２１ａのみを容易に着脱することができるため、さらに作業効率が向上する。
【００３６】
さらにまた、上述のように、鼻隠し部材２２には、通気孔２８が備えられており、十分な小屋裏換気が可能であるため、軒天板２１ａには通気孔を設ける必要がない。したがって、軒天板２１ａを下方から目視した際、その外観が良い軒天部材２１を提供することができる。
【００３７】
（調整装置３０）
本実施形態に係る軒先ユニット２０の調整装置３０について図２乃至図６を参照して説明する。
図２乃至図６に示すように、軒先ユニット調整装置３０は、建物本体１の軒桁３に固定される複数の腕木部材１０と、軒先ユニット取付部材２３を備えている。そして、調整装置３０は腕木部材１０と、腕木部材１０に下方から当接する軒先ユニット取付部材２３と、腕木部材１０と軒先ユニット取付部材２３とを上下方向に貫通することにより接合する固定用ボルト３１及び固定用ナット３２と、を備えている。
【００３８】
腕木部材１０は、軒先ユニット取付部材２３と締結されるフレーム部１１を備えている。
フレーム部１１は、鉄やＳＵＳ等の金属製の部材により形成されている。腕木部材１０に備えられたフレーム部１１は、軒桁３の桁行方向に沿って延在する側面から建物本体１の屋外方向へ略水平に突設されており、例えば、軒桁３に対してボルト等により固定されている。このフレーム部１１は、軒先ユニット２０に設けられる軒先ユニット取付部材２３が配置される位置に対応して、軒桁３の桁行方向に所定間隔で離間して取り付けられている。フレーム部１１は、断面略コ字状に形成され、底面部１１ａと、底面部１１ａの桁行方向の両端部から上方へ曲折して延びる一対の側面部１１ｂと、を備えている。
そして、フレーム部１１の底面部１１ａには、角度調節ボルト１３と、角度調節ボルト挿通孔１２ａ、ルーズ孔１２ｂ、シノ孔１２ｃが設けられている。角度調節ボルト１３と、角度調節ボルト挿通孔１２ａ、ルーズ孔１２ｂ、シノ孔１２ｃの構成及び作用は後述する。
【００３９】
軒先ユニット取付部材２３は、軒先ユニット１０を建物本体１に対して設置するための部材であって、建物本体１に取り付けられた腕木部材１０に固定される。
軒先ユニット取付部材２３は、鼻隠し部材２２の前面部２２ａの建物本体１側面に取り付けられる断面略Ｌ字形状の支持部２３ａと、支持部２３ａから建物本体１側へ略水平に突設するフレーム部２３ｂと、を備えており、これらは鉄やＳＵＳ等の金属製の部材により一体的に形成されている。
【００４０】
支持部２３ａは、所定位置に複数のボルト挿通孔（図示省略）を有し、鼻隠し部材２２に対してボルト４３及びナット４４により締結固定されている。この支持部２３ａは、鼻隠し部材２２の桁行方向の端部２２ｇからやや内側の位置にそれぞれ配置されている。なお、支持部２３ａの取り付け位置に関し、鼻隠し部材２２の端部２２ｇに取り付ける場合に限定されるものではなく、例えば、鼻隠し部材２２の桁行方向の中間部等に取り付けることも可能である。
【００４１】
フレーム部２３ｂは、例えば、断面略Ｌ字状に形成されており、鼻隠し部材２２から建物本体１の屋内方向へ延びる略水平な上面部２３ｄと、上面部２３ｄから下方へ延設される側面部２３ｃを備えており、上面部２３ｄには固定用ボルト挿通孔２３ｅ、シノ孔２３ｆが形成されている。また、フレーム部２３ｂは、支持部２３ａに対して略垂直となるように、溶接等の手法により固着接合されている。さらに、側面部２３ｃの下方端部は曲折され、軒天ランナー２６の上面（軒天板２１ａが当接していない側の面）に接合される。
【００４２】
また、フレーム部２３ｂは、軒先ユニット２０の両端部に配置されており、軒先ユニット２０を建物本体１の桁行方向に沿って複数個連続して配置されたときに、隣接する軒先ユニット取付部材２３のフレーム部２３ｂが、それぞれ近接して腕木部材１０のフレーム部１１に係止される。したがってフレーム部１１には、角度調節ボルト１３と、角度調節ボルト挿通孔１２ａ、ルーズ孔１２ｂ、シノ孔１２ｃが少なくともそれぞれ二カ所（一組）以上設けられている。
【００４３】
上面部２３ｄには、所定位置に固定用ボルト３１が挿通可能な固定用ボルト挿通孔２３ｅ、及び軒先ユニット２０の取り付け位置を調節するために使用されるシノが上下方向に挿通可能なシノ孔２３ｆが形成されている。なお本実施形態では、シノを挿通させるシノ孔２３ｆが建物本体１側（上面部２３ｄにおいて側面部２３ｃ側）に形成された例を示したが、腕木部材１０と軒先ユニット２０の相対位置を調整可能であれば、この位置に限定されるものではない。
【００４４】
フレーム部２３ｂは、図５に示すように、側面部２３ｃの上端が上方に向かって突出して形成された突設部２３ｇを備えている。突設部２３ｇは軒先ユニット取付部２３のフレーム部２３ｂにおいて、上方に向かって突出すると共に、桁行方向に延設されている。なお、図５は説明のため突設部２３ｇを大きく描いてあるが、実際には上面部２３ｄに対してごく僅か突出している程度でよく、上面部２３ｄと側面部２３ｃの高さが数ミリメートル異なる構成であればよい。
【００４５】
そして、上面部２３ｄは、腕木部材１０のフレーム部１１に挿通された角度調節ボルト１３の先端部１３ａが当接して配設される。この構成により、断面略コ字状に形成されたフレーム部１１の底面部１１ａに、突設部２３ｇが当接し、この突設部２３ｇと離間して配設された角度調節ボルト１３の挿入度合いに依存して腕木部材１０に対する軒先ユニット取付部材２３との角度が調整される。
【００４６】
腕木部材１０のフレーム部１１には、角度調節ボルト１３、固定用ボルト３１、シノをそれぞれ挿通させるための角度調節ボルト挿通孔１２ａ、ルーズ孔１２ｂ、シノ孔１２ｃが設けられている。
底面部１１ａにおいて建物本体１の屋外側に設けられた角度調節ボルト挿通孔１２ａは、角度調節ボルト１３が挿通され、上述のように、腕木部材１０と軒先ユニット２０とが成す角度を調整することができる。
【００４７】
また、底面部１１ａに設けられた角度調節ボルト挿通孔１２ａに隣接してルーズ孔１２ｂが設けられている。ルーズ孔１２ｂは、建物本体１の屋内外方向に長軸を持つ長孔であり、ルーズ孔１２ｂには固定用ボルト３１が上下方向に挿通される。そして、軒先ユニット取付部材２３のフレーム部２３ｂ側に設けられた固定用ボルト挿通孔２３ｅに固定用ボルト３１を挿通させ、固定用ナット３２と螺合させることにより、腕木部材１０に対して軒先ユニット２０が取り付けられる。
【００４８】
このように、ルーズ孔１２ｂは建物本体１の屋内外方向に長軸を持つ長孔であるので、腕木部材１０に対して軒先ユニット２０の位置、より詳細には建物本体１の屋内または屋外方向の位置を適宜調整することができる。
【００４９】
さらに、底面部１１ａにはシノ孔１２ｃはシノが挿通され、フレーム部２３ｂに設けられたシノ孔２３ｆまでシノを挿通させた後、シノを適宜動かすことにより、腕木部材１０に対する軒先ユニット２０の位置を容易に調整して設置することができる。
【００５０】
（支持部材２４）
図２及び図６に示すように、支持部材２４は、鼻隠し部材２２の建物本体１の屋外方向側に取り付けられる略板形状のプレート支持部２４ａと、プレート支持部２４ａから建物本体１の屋外方向へ突出して設けられる転落防止部材４１取付用の取付部２４ｂと、を備えている。支持部材２４は、転落防止部材４１の一対の下端部４１ｄが挿入可能なように、鼻隠し部材２２の端部２２ｇにそれぞれ配置されている。
【００５１】
プレート支持部２４ａは、その所定位置に複数のボルト挿通孔（図示省略）が形成され、鼻隠し部材２２の桁行方向の端部２２ｇのそれぞれに取り付けられている。支持部材２４は、鼻隠し部材２２の前面部２２ａを、軒先ユニット取付部材２３の支持部２３ａと支持部材２４のプレート支持部２４ａとの間で挟み込んだ状態で、それぞれに設けられたボルト挿通孔にボルト４３を挿通してナット４４を締め込むことにより、鼻隠し部材２２に締結されている。すなわち、支持部材２４は、鼻隠し部材２２を介して軒先ユニット取付部材２３に締結されている。
【００５２】
取付部２４ｂは、転落防止部材４１を上方から挿入可能な略円筒形状を有し、転落防止部材４１を上方から着脱可能に支持する。
【００５３】
図１及び図２に示すように、転落防止部材４１は、水平部４１ａと、水平部４１ａの両端部から下方へ曲折して延びる一対の鉛直部４１ｂと、水平部４１ａと略平行に配置され２つの鉛直部４１ｂ同士を所定の位置で連結する複数の中桟部４１ｃと、を備えている。この転落防止部材４１は、鉄等の金属製のパイプ状部材により形成されており、その重量の軽量化が図られている。一対の鉛直部４１ｂの下端部４１ｄの間の内幅は、軒先ユニット２０の両端部に取り付けられる取付部２４ｂの間隔と略等しく設定されている。鉛直部４１ｂの下端部４１ｄは、軒先ユニット２０の取付部２４ｂに上方から挿入可能な形状に形成されている。
【００５４】
図２、図７に示すように、樋受け部材２５は、鼻隠し部材２２の前面部２２ａの建物本体１の屋外方向側の外面に、建物本体１の桁行方向に沿って所定間隔をあけて複数取り付けられており、建物本体１の桁行方向に沿って配置される軒樋４２を上方から支持するように構成されている。樋受け部材２５は、鼻隠し部材２２に対してビス等により固定されるプレート部２５ａと、プレート部２５ａから建物本体１の屋外方向に突設される突設部２５ｂと、突設部２５ｂの建物本体１の屋外方向側の先端部２５ｃと、突設部２５ｂの下端部に設けられる弾性係止部２５ｄと、を備えている。
【００５５】
また、軒樋４２は、断面略Ｕ字状に形成されており、雨水等の排水が可能な底面部４２ａと、底面部４２ａの建物本体１の屋外方向側の端部に設けられる鉤形状のフック部４２ｂと、底面部４２ａの建物本体１側端部から軒樋４２の開口方向へ突出する突部４２ｃと、を備えている。軒樋４２は、樋受け部材２５に取り付けられた状態で、雨水等の排水を促進するため長手方向の一端側から他端側へ向けて傾斜して配置される。なお、軒樋４２の傾斜方向の下端部には、縦樋（図示省略）と連結可能な排水口（図示省略）が設けられている。
【００５６】
次に、軒樋４２の樋受け部材２５に対する取り付けについて図２及び図７に基づいて説明する。
軒樋４２の樋受け部材２５に対する取り付けは、先ず、軒樋４２のフック部４２ｂを樋受け部材２５の先端部２５ｃに嵌合させる。次に、この状態で、軒樋４２の建物本体１側を上方へ移動させる。軒樋４２を上方へ移動させると、弾性係止部２５ｄが軒樋４２の突部４２ｃの進入により建物本体１の屋外方向へ弾性変形する。さらに、軒樋４２を上方へ移動させると、弾性係止部２５ｄが軒樋４２の突部４２ｃに嵌合して、その状態が保持される。このように、軒樋４２は、樋受け部材２５の先端部２５ｃと軒樋４２のフック部４２ｂ、及び樋受け部材２５の弾性係止部２５ｄと軒樋４２の突部４２ｃをそれぞれ嵌合させることにより、樋受け部材２５に対して取り付けられる。軒樋４２が樋受け部材２５に対して取り付けられた状態では、支持部材２４は、軒樋４２によって下方から覆われる位置で、且つ軒樋４２の底面４２ａから上方へ所定距離離間した、軒樋４２の排水機能を阻害しない高さ位置に配置される。
【００５７】
（連結装置５０）
次に、隣接する鼻隠し部材２２同士を連結する鼻隠し部材２２の連結装置５０について図９乃至図１１を参照して説明する。
図９乃至図１１に示すように、連結装置５０は、軒先ユニット２０を建物本体１の桁行方向に沿って複数個連続して配設したときに、隣接する鼻隠し部材２２の端部２２ｇ間に跨った位置に配置される。連結装置５０は、鼻隠し部材２２の建物本体１側の上側内面２２ｘに装着される上側連結部材５１と、下側内面２２ｙに装着される下側連結部材５２とを備えている。
【００５８】
上側連結部材５１は、鼻隠し部材２２の上側上面２２ｘに対して止水材５１ｄを介して当接する側面部５１ａと、側面部５１ａから建物本体１側へ曲折して延びる底面部５１ｂと、底面部５１ｂの建物本体１側から上方へ曲折して延びる上側突設部５１ｃと、を備えている。
【００５９】
側面部５１ａの外面（すなわち、建物本体１の外側）には、例えば、エチレン・プロピレン・ゴム（ＥＰＴ）等の止水材５１ｄが貼着されている。止水材５１ｄは、上側連結部材５１が後述の下側連結部材５２により上方へ弾発された状態では、止水材５１ｄが鼻隠し部材２２の上側内面２２ｘと密着可能なように構成されている。
【００６０】
下側連結部材５２は、鼻隠し部材２２の下側上面２２ｙに対して止水材５２ｊを介して当接する側面部５２ａと、側面部５２ａの上端部から建物本体１側斜め上方へ曲折して延びる上面部５２ｂと、上面部５２ｂの建物本体１側端部から斜め下方へ曲折して延びる傾斜部５２ｃと、傾斜部５２ｃの建物本体１側端部から斜め上方へ曲折して延びる把持部５２ｄと、傾斜部５２ｃと把持部５２ｄとの境界線から下方に向かって延びる下側突設部５２ｅと、側面部５２ａの下端部から建物本体側へ曲折して延びる底面部５２ｆと、底面部５２ｆの建物本体１側端部から上方へ延びる上側突設部５２ｇと、上側突設部５２ｇの上端から建物本体１側に延びる突出部５２ｈと、突出部５２ｈの建物本体１側端部から上方へ延びる把持部５２ｉと、を備えている。
【００６１】
側面部５２ａ、底面部５２ｆ、上側突設部５２ｇ、突出部５２ｈの外周側の外面には、例えば、エチレン・プロピレン・ゴム（ＥＰＴ）等の止水材５２ｊが貼着されている。止水材５２ｊは、上側連結部材５１と当接し、鼻隠し部材２２内に嵌合された状態では、止水材５２ｊが鼻隠し部材２２の下側内面２２ｙと密着可能なように構成されている。
【００６２】
下側連結部材５２は、板バネであり、鼻隠し部材２２の上側内面２２ｘと上側突設部２２ｃの間に上側連結部材５１を配設した後、底面部５２ｆを、鼻隠し部材２２の下側内面２２ｙと下側突設部２２ｅとの間に挿入し、上面部５２ｂを撓ませることにより、鼻隠し部材２２内に上側連結部材５１及び下側連結部材５２が嵌合される。
【００６３】
下側連結部材５２を装着する際、側面部５２ａに対して上面部５２ｂが下方へ付勢され、さらに、傾斜部５２ｃと把持部５２ｄとの境界部分が鼻隠し部材２２の上側突設部２２ｃの端部に当接することにより、上側連結部材５１及び下側連結部材５２の嵌合状態が維持される。
【００６４】
次に、連結装置５０の鼻隠し部材２２に対する取り付けについて説明する。
図９に示すように、連結装置５０の鼻隠し部材２２への取り付けは、先ず、上側連結部材５１を、建物本体１側から鼻隠し部材２２の内面に固定する。
【００６５】
次に、図１１に示すように、上側連結部材５１を鼻隠し部材２２の上方に維持した状態で、下側連結部材５２を、建物本体１側から鼻隠し部材２２の内面に取り付ける。
この時、下側連結部材５２はその側面部５２ａを下側内面２２ｙ側に押圧し、さらに底面部５２ｆを鼻隠し部材２２の下面部２２ｄに、上側突設部５２ｇを下側突設部２２ｅに当接させた状態で取り付けられる。
【００６６】
その後、鼻隠し部材２２に対して下側連結部材５２を挿入するように押圧し、把持部５２ｄが鼻隠し部材２２の上側突設部２２ｃに当接するまで押圧する。この時、板バネからなる下側連結部材５２は、上面部５２ｂを弾性変形によって下方に沈み込ませることにより、上側連結部材５１と係合して、鼻隠し部材２２の内部に収納される。
【００６７】
このように、止水材５１ｄを備えた上側連結部材５１及び止水材５２ｊを備えた下側連結部材５２を鼻隠し部材２２に嵌合することにより、隣接する鼻隠し部材２２の端部２２ｇ間に形成される隙間から鼻隠し部材２２の上側内面２２ｘ及び下側内面２２ｙ側への雨水等の流入を防止することができる。また、連結部材５０として、上記構成の上側連結部材５１及び下側連結部材５２を鼻隠し部材２２内に嵌合するだけでよいので、その設置工程が簡素化される。
【００６８】
（建物施工方法）
次に、本発明の軒先ユニット２０を用いた建物の施工方法について図１、図２及び図１２を参照して説明する。
図１２に示すように、本実施形態に係る軒先ユニット２０を用いた建物の施工方法は、建物躯体構築工程Ｓ１と、軒先ユニット仮固定工程Ｓ２と、軒先ユニット調整工程Ｓ３と、軒先ユニット本固定工程Ｓ４と、転落防止部材取付工程Ｓ５と、転落防止部材取外工程Ｓ６と、を備えている。
【００６９】
図１に示すように、建物躯体構築工程Ｓ１では、建物本体１の柱（図示省略）、軒桁３、小屋梁５等の構造体の骨組を構築する。本実施形態では、鉄製の部材である軒桁３、小屋梁５等の構造体をボルトや溶接等によって接合することにより建築躯体が構築される。
【００７０】
図１２に示すように、建物躯体構築工程Ｓ１の後に、軒先ユニット仮固定工程Ｓ２が行われる。
この工程は、軒桁３に腕木部材１０のフレーム部１１がボルト等により固定された状態で開始される。
【００７１】
軒天部材２１、鼻隠し部材２２、軒先ユニット取付部材２３、支持部材２４、及び樋受け部材２５、軒天ランナー２６が、予め一体化された複数の軒先ユニット２０を、建物本体１の屋外側で吊り上げて、軒先ユニット２０に設けられる軒先ユニット取付部材２３のフレーム部２３ｂを、建物本体１の屋内または屋外方向から腕木部材１０のフレーム部１１の底面部１１ａに当接させる。
【００７２】
軒先ユニット取付部材２３のフレーム部２３ｂを腕木部材１０のフレーム部１１に当接させ、シノをシノ孔１２ｃ、シノ孔２３ｆに上方から挿通させると共に、固定用ボルト３１をルーズ孔１２ｂ、固定用ボルト挿通孔２３ｅに上方から挿通させた状態とすることにより、軒桁３に対して仮固定される。この構成により、軒先ユニット２０の落下が防止される。
【００７３】
そして、固定用ボルト３１が挿通された状態とした後、この固定用ボルト３１に、固定用ナット３２を螺合して仮締めする。この仮締めは、後述する角度調節ボルト１３の締め込みにより建物本体１に対する軒先ユニット２０の取付角度の調節が可能な程度に行う。
【００７４】
上記軒先ユニット仮固定工程Ｓ２において、軒先ユニット２０は、軒桁３に対して仮保持される。なお、軒先ユニット２０を、建物本体１の屋外側で吊り上げて軒先ユニット取付部材２３を腕木部材１０上に配設する場合に限られず、軒先ユニット２０を建物本体１の屋内側から搬入して、軒先ユニット取付部材２３を腕木部材１０上に配設することも可能である。
【００７５】
軒先ユニット仮固定工程Ｓ２が行われた後は、軒先ユニット１０が軒桁３に対して仮保持された状態では、軒先ユニット取付部材２３の固定用ボルト挿通孔２３ｅ、シノ孔２３ｆと、フレーム部１１の孔ルーズ１２ｂ、シノ孔１２ｃとがそれぞれ整合する。
【００７６】
また、建物本体１の桁行方向に隣接する他方の軒先ユニット２０も、上記一方の軒先ユニット２０と同様に、フレーム部２３ｂをフレーム部１１の下方に当接させ、固定用ボルト３１及び固定用ナット３２を螺合して、他方の軒先ユニット２０を、軒桁３に仮固定する（図４参照）。
【００７７】
図１２に示すように、軒先ユニット仮固定工程Ｓ２の後に、軒先ユニット調整工程Ｓ３が行われる。この軒先ユニット調整工程Ｓ３で行われる作業は、全て建物本体１の屋内側から行われる。
【００７８】
軒先ユニット調整工程Ｓ３は、以下の二つの工程によって行われる。
先ず、建物本体１に対する軒先ユニット２０の屋内外方向の取付位置の調整を行う。
上述のように、腕木部材１０のフレーム部１１のルーズ孔１２ｂが、建物本体１の屋内外方向に沿って長孔状に形成されている。このため、ルーズ孔１２ｂに固定用ボルト３１を挿通して仮締めした状態では、軒先ユニット２０は、建物本体１の屋内外方向へ移動可能である。
【００７９】
すなわち、建物本体１に対する軒先ユニット２０の屋内外方向の取付位置の調整は、軒先ユニット２０を建物本体１の屋内外方向に適宜移動させることに行う。このような移動を行い、軒先ユニット２０が適正な取付位置となった場合には、固定用ボルト３１又は固定用ナット３２を仮締めする。この仮締めは、軒先ユニット２０が軒桁３に対して容易に移動しない程度に行う。
【００８０】
なお、軒先ユニット２０の位置調整を行う際、腕木部材１０に備えられたフレーム１１に設けられたシノ孔１２ｃ、及び軒先ユニット取付部材２３に設けられたシノ孔２３ｆにシノを挿通させた状態で、シノを適宜動かすことによって軒先ユニット２０の位置調整を容易に行うことができる。
【００８１】
次に、建物本体１に対する軒先ユニット２０の取付角度の調整が行われる。この角度調節ボルト１３を角度調節ボルト挿通孔１２ａの上方から挿通させて締め込むと、角度調節ボルト１３の先端部１３ａが軒先ユニット取付部材２３のフレーム部２３ｂの上面と当接するため、その締め込み量を調節することにより、軒先ユニット２０の建物本体１の屋外側を上下方向に移動させることができる。
【００８２】
これにより、軒桁３の腕木部材１０に対する軒先ユニット２０の取付角度、より詳細には、建物本体１の屋外方向に行くにつれて軒天板２１ａが上又は下方向に傾斜する角度を調整することができる。
【００８３】
例えば、角度調節ボルト１３の締め込み程度が小さければ、軒先ユニット２０は屋外方向に向かって軒天板２１ａが水平に近くなるように設置される。一方、角度調節ボルト１３の締め込み程度を大きくすると、軒先ユニット２０は屋外方向に向かって軒天板２１ａが下方に傾斜するように設置される。
【００８４】
このような締め込みを行い、軒先ユニット２０が建物本体１に対して適正な取付角度になると、建物本体１に対する軒先ユニット２０の屋内外方向の取付位置が適正であるか否かを再度確認する。そして、その取付位置が適正でない場合には、上記のような手順を繰り返し行う。
【００８５】
なお、桁行方向の取付位置の調整は、上述のように、隣接する軒天板２１ａ同士の接続方法を実継ぎまたは合決り継ぎとし、互いに遊びをもって配設することができるので、桁行方向の取付精度誤差を吸収することができる。したがって、軒先ユニット２０の桁行方向の取付位置を調整する工程を特に設ける必要が無く、作業工程を簡素化することができる。
【００８６】
このように、軒先ユニット２０を適宜移動させて、建物本体１に対する軒先ユニット２０の取付角度、屋内外方向の取付位置、の両方が適正なものとなったときに、軒先ユニット調整工程Ｓ３は終了する。上記作業手順は、隣接する他方の軒先ユニット２０においても同様に行われる。なお、建物本体１に対する軒先ユニット２０の取付位置の調整は、軒先ユニット２０の屋内外方向の取付位置の調整を行った後に、軒先ユニット２０の取付角度の調整を行ったが、これに限定されず、軒先ユニット２０の取付角度の調整を行った後に、軒先ユニット２０の屋内外方向の取付位置の調整を行ってもよい。
【００８７】
図１２に示すように、軒先ユニット調整工程Ｓ３の後に、軒先ユニット本固定工程Ｓ４が行われる。この軒先ユニット本固定工程Ｓ４で行われる作業は、軒先ユニット調整工程Ｓ３と同様に全て建物本体１の屋内側から行われる。
【００８８】
軒先ユニット本固定工程Ｓ４では、軒先ユニット取付部材２３の固定用ボルト挿通孔２３ｅ、及び腕木部材１０に備えられたフレーム部１１のルーズ孔１２ｂに挿通された固定用ボルト３１を、作業者が建物本体１の屋内側から本締めする。また、上記作業手順は、隣接する他方の軒先ユニット２０においても同様に行われる。
【００８９】
なお、本実施形態では、固定用ボルト３１を本締めした後に、隣接する鼻隠し部材２２の端部２２ｇ間に建物本体１の屋内側から上述した連結装置５０が装着される。
【００９０】
図１２に示すように、軒先ユニット本固定工程Ｓ４の後に、転落防止部材取付工程Ｓ５が行われる。この転落防止部材取付工程Ｓ５で行われる作業も、軒先ユニット本固定工程Ｓ４と同様に全て建物本体１の屋内側から行われる。
図１及び２に示すように、転落防止部材取付工程Ｓ５では、各軒先ユニット２０に設けられる取付部２４ｂに対して上方から転落防止部材４１の取り付けを行う。
【００９１】
転落防止部材４１の軒先ユニット２０への取り付けは、支持部材２４の取付部２４ｂに、建物本体１の屋内側から転落防止部材４１の下端部４１ｄを挿入することにより行われる。なお、転落防止部材４１の軒先ユニット２０への取り付けを、軒先ユニット２０が軒桁３に固定された後に行ったが、予め転落防止部材４１を軒先ユニット２０に装着した状態で、この軒先ユニット２０を建物本体１の屋外側から吊り上げて、上記軒先ユニット仮固定工程Ｓ２を行ってもよい。
【００９２】
このように、転落防止部材４１が、軒先ユニット２０を構成する支持部材２４に容易に取付可能であるため、外部足場を設置することが困難な狭小地においても、転落防止部材４１を配設することができる。従って、狭小地においても転落防止部材４１を配設することができ、屋根上での軒先工事における安全性を十分に確保することができる。また、建物本体１の周囲に地面等から外部足場を組み立てる必要がないため、軒先工事の作業工程を省略することができ、工期の短縮化を図ることができる。さらに、支持部材２４は、軒先ユニット２０にそのまま存置されるため、例えば、屋根等の改修工事を行う際に、この転落防止部材４１を再度使用することも可能となる。
【００９３】
図１２に示すように、転落防止部材取付工程Ｓ５の後に、転落防止部材取外工程Ｓ６が行われる。
転落防止部材取外工程Ｓ６は、転落防止部材取付工程Ｓ５において転落防止部材４１を軒先ユニット２０に取り付けた後、例えば、屋根パネル４の取付作業や屋根上でのアンテナ設置作業等の屋根上での作業が全て完了したときに行われる。転落防止部材取外工程Ｓ６では、建物本体１の屋外側から転落防止部材４１を軒先ユニット２０から取り外す作業を行う。
【００９４】
以上のように、本実施形態に係る軒先ユニットによれば、鼻隠し部材２２の外面から建物本体１の屋外方向へ突設する支持部材２４が軒樋４２の上方に配置される。すなわち、軒先ユニット２０を下方から見たときに、支持部材２４は軒樋４２の後方に配置されるため、支持部材２４を下方から視認することは困難である。従って、屋根上での作業が完了して転落防止部材４１を取り外した後、例えば、建物の新築工事が竣工した後においても、軒先ユニット２０に存置された支持部材２４によって、建物の外観上の美観が損なわれることがない。
【００９５】
また、建物の新築工事が完了した後であっても、建物の美観を損なうことなく軒先ユニット２０に存置される支持部材２４に、転落防止部材４１を取り付けることが可能なため、屋根の改修工事等をその後に行う場合においても、軒先作業における作業の安全性を確保することができる。
【００９６】
このように、本実施形態によれば、狭小地であっても、建物の外観上の美観を損なうことなく、建物本体１の周囲に転落防止部材４１を配設することができる。
【００９７】
また、軒桁３に固定される軒先ユニット取付部材２３は、軒天部材２１の建物本体１の屋外方向側の端部を覆う鼻隠し部材２２の前面部２２ａの建物本体１の側面に固定されている。すなわち、軒天部材２１及び鼻隠し部材２２等の軒先部品は、軒先ユニット取付部材２３を下方から覆う位置に配置され、軒先ユニット取付部材２３の上方には、障害物のない空間が形成される。従って、軒先ユニット取付部材２３を、軒桁３への軒先ユニット２０の固定以外の他の用途、例えば、屋根上に配置される部材を支持する際にも用いることができる。
【００９８】
さらに、上記構成では、軒先部品である軒天部材２１、鼻隠し部材２２、軒先ユニット取付部材２３、支持部材２４、及び樋受け部材２５を予めユニットとして一体化する構成であるため、軒先工事の作業工程を大幅に削減することができると共に、作業効率を格段に向上させることができる。また、軒先ユニット２０を工場等で製作することが可能であるため、品質の均一化を図ることができる。
【００９９】
また、支持部材２４は、軒樋４２が樋受け部材２５に支持された状態で、軒樋４２の底面４２ａから上方へ所定距離離間した、軒樋４２の排水機能を阻害しない高さ位置に配置される。このため、建物の外観上の美観が損なわれることを防止しつつ、軒樋４２を流下する雨水等の排水を円滑に行うことができる。
【０１００】
さらに、軒先ユニット２０が、建物本体１の桁行方向に沿って複数個連続して配置されるため、軒先ユニット２０自体をコンパクトに形成することが可能なため、軒先ユニット２０の建物本体１に対する取付作業、運搬作業、及び工場等での製作作業の容易化を図ることができる。
【０１０１】
本発明の軒先ユニット２０を用いた建物の施工方法は、建物本体の建物躯体を構築する建物躯体構築工程Ｓ１と、建物躯体構築工程Ｓ１の後に、軒先ユニット取付部材２３を、軒桁３から建物本体１の屋外方向へ突設する腕木部材１０に仮固定する軒先ユニット仮固定工程Ｓ２と、軒先ユニット仮固定工程Ｓ２の後に、建物本体１に対する軒先ユニット２０の上下方向の取付角度、屋内外方向の取付位置、及び桁行方向の取付位置の調整を建物本体１の屋内側から行う軒先ユニット調整工程Ｓ３と、軒先ユニット調整工程Ｓ３の後に、軒先ユニット２０を建物本体１の屋内側から腕木部材１０に本固定する軒先ユニット本固定工程Ｓ４と、軒先ユニット本固定工程Ｓ４の後に、転落防止部材４１を支持部材２４に取り付ける転落防止部材取付工程Ｓ５と、転落防止部材取付工程Ｓ５の後に、転落防止部材４１を支持部材２４から取り外す転落防止部材取外工程Ｓ６と、を備えている。
【０１０２】
本発明の軒先ユニット２０を用いた建物の施工方法では、上述した軒先ユニット２０を用いているため、建物の外観上の美観を損なうことなく、狭小地における作業の安全性を十分に確保でき、工期の短縮化を図ることが可能である。
【０１０３】
また、本発明の軒先ユニット２０を用いた建物の施工方法では、軒先ユニット２０の取付位置の調整、及び軒先ユニット２０の仮固定及び本固定を建物本体１の屋内側から行うため、作業の安全性をさらに向上させることができる。
【０１０４】
（調整装置３０の調整）
また、本実施形態に係る軒先ユニット２０の調整装置３０によれば、建物本体１に対する軒先ユニット２０の建物本体１の屋内外方向の調整は、先ず、軒先ユニット２０の軒先ユニット取付部材２３を、建物本体１の屋外側から腕木部材１０に備えられたフレーム部１１の底面部１１ａに当接させる。次に、軒先ユニット取付部材２３、腕木部材１０に備えられたフレーム部１１のそれぞれに形成されたルーズ孔１２ｂ、固定用ボルト挿通孔２３ｅに、固定用ボルト３１をその軸方向が上下方向となる向きで挿入して固定用ナット３２を仮締めする。フレーム部１１のルーズ孔１２ｂは、建物本体１の屋内外方向に沿って長孔状に形成されているため、軒先ユニット２０を建物本体１の屋内外方向の所望の位置に移動させることができる。すなわち、建物本体１に対する軒先ユニット２０の建物の屋内外方向の調整は、軒先ユニット２０が軒桁３に対して固定用ボルト３１により仮固定された状態で、軒先ユニット２０を建物本体１の屋内外方向へ適宜移動させることにより行うことができるため、その調整作業は極めて簡単である。
【０１０５】
また、軒先ユニット２０の建物本体１の屋内外方向の取付位置が適正な位置になったときは、固定用ボルト３１又は固定用ナット３２を本締めする。固定用ボルト３１は、その軸方向が上下方向となる向きで軒桁３から建物本体１の屋外方向へ突設されるフレーム部１１に取り付けられるため、建物本体１の屋内側から固定用ボルト３１の締め込みを行うにあたり、作業者は無理な姿勢となることがなく、容易に固定用ボルト３１の締め込みを行うことができる。
【０１０６】
さらに、軒先ユニット２０の位置調整は、フレーム部１１に形成されたシノ孔１２ｃ及び軒先ユニット取付部材２３に形成されたシノ孔２３ｆにシノを挿通させ、シノを適宜動かすことによって行われる。したがって、軒先ユニット２０の位置調整時、作業者はシノを用いて容易に軒先ユニット２０の位置を動かすことができ、作業を行いやすい。
【０１０７】
一方、建物本体１に対する軒先ユニット２０の取付角度の調整は、軒先ユニット２０の軒先ユニット取付部材２３を腕木部材１０に備えられたフレーム部１１に当接した状態で、フレーム部１１の底面部１１ａから上方に突出した角度調節ボルト１３を適宜締め込むことにより行う。すなわち、軒先ユニット２０の取付角度の調整は、底面部１１ａに螺着される角度調節ボルト１３の締め込み量を適宜調節することにより行うことができるため、その調整作業は極めて簡単である。
【０１０８】
また、角度調節ボルト１３は、フレーム部１１の底面部１１ａから上方に突出しているため、建物本体１の屋内側から角度調節ボルト１３の締め込みを行うにあたり、無理な姿勢となることがなく、容易に角度調節ボルト１３の締め込みを行うことができる。
【０１０９】
また、軒先ユニット２０は、軒先ユニット取付部材２３を腕木部材１０に備えられたフレーム部１１に当接させた状態で、軒先ユニット取付部材２３、フレーム部１１のそれぞれに形成されたルーズ孔１２ｂ、固定用ボルト挿通孔２３ｅに固定用ボルト３１を挿入するだけで、軒桁３に対して仮固定される。従って、このような極めて簡単な作業を行うことにより、軒先ユニット２０の落下を防止することができ、作業の安全性を十分に確保することができる。
さらに、建物本体１に対する軒先ユニット２０の調整及び固定を建物の屋内側から容易に行うことができる。
【０１１０】
また、軒先ユニット取付部材２３は、軒先ユニット２０の建物本体１の桁行方向の両端部に設けられ、軒先ユニット２０を建物本体１の桁行方向に沿って複数個連続して配設したときに、一つの腕木部材１０は、互いに隣接する二つの軒先ユニット取付部材２３を接合可能である。このように、隣接する軒先ユニット２０同士の相対位置の調整及びこれらの建物本体１に対する固定を一箇所で行うことができるため、作業効率を向上させることができる。
【０１１１】
（他の実施形態）
さらに、本実施形態では、軒桁３の桁行方向に沿って取り付けられる軒先ユニット２０についてのみ説明したが、上記軒先ユニット２０を、例えば、図１３に示すように、出隅部７（図１参照）に取り付けるための軒先ユニット２２０として構成することも可能である。
【０１１２】
図１４に示すように、この軒先ユニット２２０を出隅部７に取り付けた場合には、出隅部７の角部に転落防止部材４１が配置されない危険領域Ｓが形成されるため、図１５に示す連結部材１４１を両転落防止部材４１、４１に取り付けて、危険領域Ｓが形成されないように構成することも可能である。
【０１１３】
この連結部材１４１について具体的に説明すると、連結部材１４１は、転落防止部材４１と同じ材料を用いて形成された略Ｌ字形状の水平部１４１ａと、水平部１４１ａの両端部にそれぞれ溶接等により固定される連結部１４１ｂと、連結部１４１ｂの下端部に溶接等により固定される結束バンド取付部１４１ｃと、を備えている。連結部１４１ｂは、２枚の板状部材が対向するように，水平部１４１ａの水平方向の両外面に固定されている。
【０１１４】
連結部材１４１の転落防止部材４１への取り付けは、隣接する転落防止部材４１が軒先ユニット２０のそれぞれに取り付けられた状態で、連結部材１４１の連結部１４１ｂのそれぞれを隣接する転落防止部材４１に上方から圧嵌することにより行う。また、このときに、結束バンド取付部１４１ｃに、例えば、ゴム等からなる結束バンドの一端側を取り付けると共に、他端側を転落防止部材４１の所定箇所に取り付けると、好適である。
【産業上の利用可能性】
【０１１５】
本発明によれば、建物の周囲に外部足場を設置しなくとも、建物の外観上の美観を損なうことなく軒先作業をより安全に行うことができる。さらに、建物の外観上の美観を損なうことなく、十分な小屋裏換気を確保することができる。
【符号の説明】
【０１１６】
１  建物本体
２  外壁パネル
３  軒桁（建物躯体）
４  屋根パネル
４ａ  垂木
４ｂ  野地材
４ｃ  屋根葺き材
４ｄ  先端部
５  小屋梁
７  出隅部
１０  腕木部材
１１  フレーム部
１１ａ  底面部
１１ｂ  側面部
１２ａ  角度調節ボルト挿通孔
１２ｂ  ルーズ孔
１２ｃ  シノ孔
１３  角度調節ボルト
１３ａ  先端部
２０、２２０  軒先ユニット
２１  軒天部材
２１ａ  軒天板
２１ｂ  保温板
２１ｃ  段差部
２２  鼻隠し部材
２２ａ  前面部
２２ｂ  上面部
２２ｃ  上側突設部
２２ｄ  下面部
２２ｅ  下側突設部
２２ｆ  突出部
２２ｇ  端部
２２ｘ  上側内面
２２ｙ  下側内面
２３  軒先ユニット取付部材
２３ａ  支持部
２３ｂ  フレーム部
２３ｃ  側面部
２３ｄ  上面部
２３ｅ  固定用ボルト挿通孔
２３ｆ  シノ孔
２３ｇ  突設部
２４  支持部材
２４ａ  プレート支持部
２４ｂ  取付部
２５  樋受け部材
２５ａ  プレート部
２５ｂ  突設部
２５ｃ  先端部
２５ｄ  弾性係止部
２６  軒天ランナー
２６ａ  シール部材
２７  水切材
２８  通気孔
２８ａ  リブ
２９  防火ダンパー
３０  調整装置
３１  固定用ボルト（固定手段）
３２  固定用ナット（固定手段）
４１  転落防止部材
４１ａ  水平部
４１ｂ  鉛直部
４１ｃ  中桟部
４１ｄ  下端部
４２  軒樋
４２ａ  底面部
４２ｂ  フック部
４２ｃ  突部
４３  ボルト
４４  ナット
５０  連結装置
５１  上側連結部材
５１ａ  側面部
５１ｂ  底面部
５１ｃ  上側突設部
５１ｄ  止水材
５２  下側連結部材
５２ａ  側面部
５２ｂ  上面部
５２ｃ  傾斜部
５２ｄ  把持部
５２ｅ  下側突設部
５２ｆ  底面部
５２ｇ  上側突設部
５２ｈ  突出部
５２ｉ  把持部
５２ｊ  止水材
１４１  連結部材
１４１ａ  水平部
１４１ｂ  連結部
１４１ｃ  結束バンド取付部
Ｓ  危険領域
Ｓ１  建物躯体構築工程
Ｓ２  軒先ユニット仮固定工程
Ｓ３  軒先ユニット調整工程
Ｓ４  軒先ユニット本固定工程
Ｓ５  転落防止部材取付工程
Ｓ６  転落防止部材取外工程
【図１】
0005653682.tif 000002
【図２】
0005653682.tif 000003
【図３】
0005653682.tif 000004
【図４】
0005653682.tif 000005
【図５】
0005653682.tif 000006
【図６】
0005653682.tif 000007
【図７】
0005653682.tif 000008
【図８】
0005653682.tif 000009
【図９】
0005653682.tif 000010
【図１０】
0005653682.tif 000011
【図１１】
0005653682.tif 000012
【図１２】
0005653682.tif 000013
【図１３】
0005653682.tif 000014
【図１４】
0005653682.tif 000015
【図１５】
0005653682.tif 000016